(57)【要約】【課題】クロストークを低減し高画質化を図ることが可能な画像処理装置、画像処理方法、およびプログラムを提供する。【解決手段】第１画像処理部と第２画像処理部とを備え、第１画像処理部は、第１差分信号を導出する第１差分信号導出部と、第１差分信号が負の値であるかを判定する第１判定部と、第１差分信号に第１補正係数を乗算する第１重み付け部と、第１補正信号を画素ごとに出力する第１補正信号出力部と、第１補正信号に基づいて第１入力画像信号を画素ごとに補正する第１信号補正部とを有し、第２画像処理部は、第２差分信号を導出する第２差分信号導出部と、第２差分信号が負の値であるか否かを判定する第２判定部と、第２差分信号に第２補正係数を乗算する第２重み付け部と、第２補正信号を画素ごとに出力する第２補正信号出力部と、第２補正信号に基づいて第２入力画像信号を画素ごとに補正する第２信号補正部とを有する画像処理装置が提供される。【選択図】図２
2010258557.tif 000002
【特許請求の範囲】
【請求項１】
立体画像を構成する第１入力画像信号および第２入力画像信号に基づいて、前記第１入力画像信号を画素ごとに選択的に補正する第１画像処理部と、
前記第１入力画像信号および前記第２入力画像信号に基づいて、前記第２入力画像信号を画素ごとに選択的に補正する第２画像処理部と、
を備え、
前記第１画像処理部は、
前記第２入力画像信号から前記第１入力画像信号を減算した第１差分信号を導出する第１差分信号導出部と、
画素ごとに前記第１差分信号が負の値であるか否かを判定する第１判定部と、
前記第１差分信号に第１補正係数を乗算する第１重み付け部と、
前記第１判定部の判定結果に基づいて、前記第１補正係数が乗算された第１差分信号を第１補正信号として画素ごとに選択的に出力する第１補正信号出力部と、
前記第１入力画像信号と、選択的に出力される前記第１補正信号とに基づいて、前記第１入力画像信号を画素ごとに補正する第１信号補正部と、
を有し、
前記第２画像処理部は、
前記第１入力画像信号から前記第２入力画像信号を減算した第２差分信号を導出する第２差分信号導出部と、
画素ごとに前記第２差分信号が負の値であるか否かを判定する第２判定部と、
前記第２差分信号に第２補正係数を乗算する第２重み付け部と、
前記第２判定部の判定結果に基づいて、前記第２補正係数が乗算された第２差分信号を第２補正信号として画素ごとに選択的に出力する第２補正信号出力部と、
前記第２入力画像信号と、選択的に出力される前記第２補正信号とに基づいて、前記第２入力画像信号を画素ごとに補正する第２信号補正部と、
を有することを特徴とする、画像処理装置。
【請求項２】
前記第１重み付け部は、所定の第１補正係数、または、前記第１差分信号に応じた第１補正係数を、前記第１差分信号に乗算し、
前記第２重み付け部は、所定の第２補正係数、または、前記第２差分信号に応じた第２補正係数を、前記第２差分信号に乗算することを特徴とする、請求項１に記載の画像処理装置。
【請求項３】
立体画像を構成する第１入力画像信号および第２入力画像信号に基づいて、前記第１入力画像信号と前記第２入力画像信号とのそれぞれを、処理対象の入力画像信号としてそれぞれ処理する画像処理装置に用いることが可能な画像処理方法であって、
他方の入力画像信号から処理対象の一方の入力画像信号を減算した差分信号を導出するステップと、
前記導出するステップにおいて導出された前記差分信号に補正係数を乗算するステップと、
画素ごとに前記導出するステップにおいて導出された前記差分信号が負の値であるか否かを判定するステップと、
前記判定するステップにおける判定結果に基づいて、前記乗算するステップにおいて前記補正係数が乗算された差分信号を補正信号として画素ごとに選択的に出力するステップと、
前記一方の入力画像信号と、前記出力するステップにおいて選択的に出力される前記補正信号とに基づいて、前記一方の入力画像信号を画素ごとに補正するステップと、
を有することを特徴とする、画像処理方法。
【請求項４】
立体画像を構成する第１入力画像信号および第２入力画像信号に基づいて、前記第１入力画像信号と前記第２入力画像信号とのそれぞれを、処理対象の入力画像信号としてそれぞれ処理する画像処理装置に適用可能なプログラムであって、
他方の入力画像信号から処理対象の一方の入力画像信号を減算した差分信号を導出するステップ、
前記導出するステップにおいて導出された前記差分信号に補正係数を乗算するステップ、
画素ごとに前記導出するステップにおいて導出された前記差分信号が負の値であるか否かを判定するステップ、
前記判定するステップにおける判定結果に基づいて、前記乗算するステップにおいて前記補正係数が乗算された差分信号を補正信号として画素ごとに選択的に出力するステップ、
前記一方の入力画像信号と、前記出力するステップにおいて選択的に出力される前記補正信号とに基づいて、前記一方の入力画像信号を画素ごとに補正するステップ、
をコンピュータに実行させるためのプログラム。
【発明の詳細な説明】
【技術分野】
【０００１】
本発明は、画像処理装置、画像処理方法、およびプログラムに関する。
【背景技術】
【０００２】
立体画像を構成する右目用の画像信号および左目用の画像信号に基づいて立体画像を表示画面に表示する場合には、例えばクロストーク（crosstalk）とよばれる現象が生じることがある。ここで、クロストークとは、例えば、左目用の画像信号が示す画像に右目用の画像信号が示す画像が混入すること、および／または、右目用の画像信号が示す画像に左目用の画像信号が示す画像が混入することをいう。クロストークが生じた場合、混入した画像は一種のノイズとなる。よって、クロストークの発生を防止する（またはクロストークの影響を低減する）ことは、高画質化を図る上で重要となっている。
【０００３】
このような中、クロストークを低減するための技術が開発されている。立体画像を構成する画像信号を補正することによって、クロストークを低減する技術としては、例えば、特許文献１、特許文献２が挙げられる。
【先行技術文献】
【特許文献】
【０００４】
【特許文献１】特表２００９−５０７４０１号公報
【特許文献２】特開平０８−３３１６００号公報
【発明の概要】
【発明が解決しようとする課題】
【０００５】
クロストークを低減するための従来の技術（以下、「従来の技術」という。）は、立体画像を構成する一方の画像信号（例えば、右目用の画像信号）と他方の画像信号（例えば、左目用の画像信号）とのそれぞれに対して、例えば、以下の数式１、数式２に示す補正を行う。ここで、数式１、数式２では、上記一方の画像信号を“Ｒｉｎ”、補正後の一方の画像信号を“Ｒｏｕｔ”、上記他方の画像信号を“Ｌｉｎ”、そして補正後の他方の画像信号を“Ｌｏｕｔ”と表している。また、数式１、数式２では、クロストーク量に係る補正係数を“α”と表している。
【０００６】
Ｒｏｕｔ＝（Ｒｉｎ−Ｌｉｎ×α）／（１−α）２
・・・（数式１）
Ｌｏｕｔ＝（Ｌｉｎ−Ｒｉｎ×α）／（１−α）２
・・・（数式２）
【０００７】
従来の技術は、測定（例えば、単眼での光学測定、単眼でのパターン評価、両眼でのパターン評価など）に基づくクロストーク量に係る補正係数“α”を用いて立体画像を構成する各画像信号を補正する。よって、従来の技術が適用された画像処理装置（以下、「従来の画像処理装置」とよぶ場合がある。）は、上記数式１、数式２に基づき入力された各画像信号をそれぞれ補正することによって、クロストークの低減をある程度は図ることができる。
【０００８】
しかしながら、従来の技術は、数式１、数式２に示すように、画像信号の補正に際して、漏れこんでくる画像信号（例えば、Ｒｉｎに対するＬｉｎ（数式１の場合）。または、Ｌｉｎに対するＲｉｎ（数式２の場合）。）しか考慮していない。より具体的には、従来の技術は、立体画像を構成する画像信号Ｒｉｎ、Ｌｉｎがいかなる画像を示す画像信号であったとしても、“Ｌｉｎ×α”（数式１の場合）または“Ｒｉｎ×α”（数式２の場合）により補正を行う。よって、従来の画像処理装置では、例えば、夜空に輝度が高い満月が表示される立体画像を示す画像信号が入力された場合と、昼空に輝度が高い満月が表示される立体画像を示す画像信号が入力された場合などのように、異なる立体画像を示す画像信号が入力された場合であっても、同様の補正が行われることとなる。そのため、従来の技術を用いたとしてもクロストークが生じる場合があり、立体画像の表示におけるさらなる画質向上が希求されていた。
【０００９】
本発明は、上記問題に鑑みてなされたものであり、本発明の目的とするところは、クロストークを低減し高画質化を図ることが可能な、新規かつ改良された画像処理装置、画像処理方法、およびプログラムを提供することにある。
【課題を解決するための手段】
【００１０】
上記目的を達成するために、本発明の第１の観点によれば、立体画像を構成する第１入力画像信号および第２入力画像信号に基づいて、上記第１入力画像信号を画素ごとに選択的に補正する第１画像処理部と、上記第１入力画像信号および上記第２入力画像信号に基づいて、上記第２入力画像信号を画素ごとに選択的に補正する第２画像処理部とを備え、上記第１画像処理部は、上記第２入力画像信号から上記第１入力画像信号を減算した第１差分信号を導出する第１差分信号導出部と、画素ごとに上記第１差分信号が負の値であるか否かを判定する第１判定部と、上記第１差分信号に第１補正係数を乗算する第１重み付け部と、上記第１判定部の判定結果に基づいて、上記第１補正係数が乗算された第１差分信号を第１補正信号として画素ごとに選択的に出力する第１補正信号出力部と、上記第１入力画像信号と、選択的に出力される上記第１補正信号とに基づいて、上記第１入力画像信号を画素ごとに補正する第１信号補正部とを有し、上記第２画像処理部は、上記第１入力画像信号から上記第２入力画像信号を減算した第２差分信号を導出する第２差分信号導出部と、画素ごとに上記第２差分信号が負の値であるか否かを判定する第２判定部と、上記第２差分信号に第２補正係数を乗算する第２重み付け部と、上記第２判定部の判定結果に基づいて、上記第２補正係数が乗算された第２差分信号を第２補正信号として画素ごとに選択的に出力する第２補正信号出力部と、上記第２入力画像信号と、選択的に出力される上記第２補正信号とに基づいて、上記第２入力画像信号を画素ごとに補正する第２信号補正部とを有する画像処理装置が提供される。
【００１１】
かかる構成により、クロストークを低減し高画質化を図ることができる。
【００１２】
また、上記第１重み付け部は、所定の第１補正係数、または、上記第１差分信号に応じた第１補正係数を、上記第１差分信号に乗算し、上記第２重み付け部は、所定の第２補正係数、または、上記第２差分信号に応じた第２補正係数を、上記第２差分信号に乗算してもよい。
【００１３】
かかる構成により、入力された入力画像信号に応じたフレキシブルな補正を行うことができる。
【００１４】
上記目的を達成するために、本発明の第２の観点によれば、立体画像を構成する第１入力画像信号および第２入力画像信号に基づいて、上記第１入力画像信号と上記第２入力画像信号とのそれぞれを、処理対象の入力画像信号としてそれぞれ処理する画像処理装置に用いることが可能な画像処理方法であって、他方の入力画像信号から処理対象の一方の入力画像信号を減算した差分信号を導出するステップと、上記導出するステップにおいて導出された上記差分信号に補正係数を乗算するステップと、画素ごとに上記導出するステップにおいて導出された上記差分信号が負の値であるか否かを判定するステップと、
上記判定するステップにおける判定結果に基づいて、上記乗算するステップにおいて上記補正係数が乗算された差分信号を補正信号として画素ごとに選択的に出力するステップと、上記一方の入力画像信号と、上記出力するステップにおいて選択的に出力される上記補正信号とに基づいて、上記一方の入力画像信号を画素ごとに補正するステップとを有する画像処理方法が提供される。
【００１５】
かかる方法を用いることにより、クロストークを低減し高画質化を図ることができる。
【００１６】
上記目的を達成するために、本発明の第３の観点によれば、立体画像を構成する第１入力画像信号および第２入力画像信号に基づいて、上記第１入力画像信号と上記第２入力画像信号とのそれぞれを、処理対象の入力画像信号としてそれぞれ処理する画像処理装置に適用可能なプログラムであって、他方の入力画像信号から処理対象の一方の入力画像信号を減算した差分信号を導出するステップ、上記導出するステップにおいて導出された上記差分信号に補正係数を乗算するステップ、画素ごとに上記導出するステップにおいて導出された上記差分信号が負の値であるか否かを判定するステップ、上記判定するステップにおける判定結果に基づいて、上記乗算するステップにおいて上記補正係数が乗算された差分信号を補正信号として画素ごとに選択的に出力するステップ、上記一方の入力画像信号と、上記出力するステップにおいて選択的に出力される上記補正信号とに基づいて、上記一方の入力画像信号を画素ごとに補正するステップをコンピュータに実行させるためのプログラムが提供される。
【００１７】
かかるプログラムを用いることにより、クロストークを低減し高画質化を図ることができる。
【発明の効果】
【００１８】
本発明によれば、クロストークを低減し高画質化を図ることができる。
【図面の簡単な説明】
【００１９】
【図１】本発明の実施形態に係る画像処理装置におけるクロストーク低減アプローチに係る処理の一例を説明するための説明図である。
【図２】本発明の実施形態に係る画像処理装置の構成の一例を示すブロック図である。
【図３】本発明の実施形態に係る表示装置の構成の一例を示すブロック図である。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
（本発明の実施形態に係るアプローチ）
本発明の実施形態に係る画像処理装置（以下、「画像処理装置１００」という。）の構成について説明する前に、本発明の実施形態に係るクロストーク低減アプローチについて説明する。
【００２２】
以下では、立体画像を構成する第１入力画像信号と第２入力画像信号とが画像処理装置１００に入力され、画像処理装置１００が、当該第１入力画像信号および第２入力画像信号をそれぞれ処理するものとして説明する。ここで、本発明の実施形態に係る第１入力画像信号としては、例えばユーザの右目用の画像を示す右目用画像信号（またはユーザの左目用の画像を示す左目用画像信号）が挙げられ、また、第２入力画像信号としては、例えば左目用画像信号（または右目用画像信号）が挙げられる。また、以下では、立体画像を構成する第１入力画像信号と第２入力画像信号とを総称して「入力画像信号」とよぶ場合がある。
【００２３】
本発明の実施形態に係る画像処理装置１００は、立体画像を構成する第１入力画像信号および第２入力画像信号に基づいて、以下の数式３、数式４により第１入力画像信号および第２入力画像信号それぞれを画素ごとに選択的に補正する。以下では、選択的に補正された第１入力画像信号を「第１出力画像信号」とよぶ場合があり、また、選択的に補正された第２入力画像信号を「第２出力画像信号」とよぶ場合がある。また、以下では、第１出力画像信号と第２出力画像信号とを総称して「出力画像信号」とよぶ場合がある。
【００２４】
ここで、数式３、数式４では、第１入力画像信号を“Ｒｉｎ”、第１出力画像信号を“Ｒｏｕｔ”、第２入力画像信号を“Ｌｉｎ”、そして第２出力画像信号を“Ｌｏｕｔ”と表している。また、数式３では、クロストーク量に係る補正係数を“α”と表し、また、数式４では、クロストーク量に係る補正係数を“β”と表している。なお、本発明の実施形態に係る補正係数α、および補正係数βについては、後述する。
【００２５】
【数３】
2010258557.tif 000003
【００２６】
【数４】
2010258557.tif 000004
【００２７】
画像処理装置１００は、数式３、数式４に示すように、立体画像を構成する処理対象の一方の入力画像信号（ＲｉｎまたはＬｉｎ）と、漏れこんでくる他方の入力画像信号（例えば、Ｒｉｎに対するＬｉｎ（数式３の場合）。または、Ｌｉｎに対するＲｉｎ（数式４の場合）。）との差分に基づいて、処理対象の一方の入力画像信号を選択的に補正する。つまり、画像処理装置１００は、例えば、夜空に輝度が高い満月が表示される立体画像を示す入力画像信号が入力された場合と、昼空に輝度が高い満月が表示される立体画像を示す入力画像信号が入力された場合などのように、異なる立体画像を示す入力画像信号が入力された場合には、入力された入力画像信号に応じた補正を入力画像信号それぞれに対して選択的に行うことができる。
【００２８】
よって、画像処理装置１００は、入力された入力画像信号それぞれ対して数式３、数式４に示す補正を行うことによって、入力された第１入力画像信号および第２入力画像信号に応じたフレキシブルな補正を実現することができる。したがって、画像処理装置１００は、クロストークを低減することができ、高画質化を図ることができる。
【００２９】
〔画像処理装置１００におけるクロストーク低減アプローチに係る処理〕
以下、画像処理装置１００におけるクロストーク低減アプローチに係る処理について、より具体的に説明する。
【００３０】
図１は、本発明の実施形態に係る画像処理装置１００におけるクロストーク低減アプローチに係る処理の一例を説明するための説明図である。ここで、図１は、画像処理装置１００に入力された第１入力画像信号、第２入力画像信号の一方を処理対象の入力画像信号とし、他方の入力画像信号を用いて画素ごとに選択的に補正する場合における処理の一例を示している。なお、画像処理装置１００は、数式３、数式４に示すように、第１入力画像信号および第２入力画像信号それぞれを処理対象の入力画像信号として、図１に示す処理を行う。図１では、処理対象の入力画像信号、すなわち補正対象の入力画像信号を「一方の入力画像信号」とし、他方の入力画像信号を「他方の入力画像信号」として、本発明の実施形態に係るクロストーク低減アプローチに係る処理について説明する。
【００３１】
画像処理装置１００は、他方の入力画像信号から処理対象の一方の画像信号を減算する（Ｓ１００）。以下では、他方の入力画像信号から処理対象の一方の画像信号を減算した結果の信号を、「差分信号」という。つまり、画像処理装置１００におけるステップＳ１００の処理は、差分信号の導出処理に相当する。
【００３２】
画像処理装置１００は、ステップＳ１００において導出された差分信号に補正係数を乗算する（Ｓ１０２）。ここで、ステップＳ１０２において乗算される補正係数は、例えば、漏れこんでくる他方の入力画像信号の割合を示す。ステップＳ１０２において乗算される補正係数としては、例えば、画像処理装置１００の構成に対応する所定の値（例えば、「０＜補正係数＜１．０」の値）が挙げられるが、上記に限られない。例えば、画像処理装置１００は、差分信号に応じた値（例えば、「０＜補正係数＜１．０」の値）を補正係数とすることもできる。画像処理装置１００は、例えば、差分信号の信号レベルと補正係数とが対応付けられたルックアップテーブル（Look  Up  Table）を用いることによって、差分信号に応じた補正係数を一意に出力することができるが、上記に限られない。
【００３３】
また、画像処理装置１００は、ステップＳ１００において導出された差分信号に基づいて、画素ごとに差分信号が負の値であるか否かを判定する（Ｓ１０４）。
【００３４】
ステップＳ１０４において差分信号が負の値であると判定された場合には、画像処理装置１００は、当該判定に係る画素に対応する補正信号を出力しない（Ｓ１０６）。
【００３５】
また、ステップＳ１０４において差分信号が負の値であると判定されない場合には、画像処理装置１００は、当該判定に係る画素に対応するステップＳ１０２において補正係数が乗算された差分信号を、当該判定に係る画素に対応する補正信号として出力する（Ｓ１０８）。
【００３６】
画像処理装置１００は、ステップＳ１０４〜Ｓ１０８の処理を行うことによって、画素ごとの選択的な補正を実現する。
【００３７】
なお、図１では、ステップＳ１０２の処理の後にステップＳ１０４の処理が行われる例を示しているが、画像処理装置１００は、ステップＳ１０２の処理とステップＳ１０４の処理とをそれぞれ独立に行うことができる。したがって、画像処理装置１００は、ステップＳ１０２の処理とステップＳ１０４の処理とを同期して行うことができ、また、ステップＳ１０４の処理の後にステップＳ１０２の処理を行うこともできる。
【００３８】
画像処理装置１００は、ステップＳ１０４〜Ｓ１０８の処理により選択的に出力される補正信号に基づいて、一方の入力画像信号を補正する（Ｓ１１０）。画像処理装置１００は、例えば、一方の入力画像信号から画素ごとに選択的に出力される補正信号を減算することによって、画素ごとに補正を行う。また、ステップＳ１１０の処理において補正された入力画像信号は、出力画像信号（第１出力画像信号／第２出力画像信号）に相当する。
【００３９】
情報処理装置１００は、例えば図１に示す処理を行うことによって、数式３に示す補正（一方の入力画像信号が第１入力画像信号Ｒｉｎである場合）、または数式４に示す補正（一方の入力画像信号が第２入力画像信号Ｌｉｎである場合）を実現することができる。したがって、情報処理装置１００は、例えば図１に示す処理を行うことによって、本発明の実施形態に係るクロストーク低減アプローチを実現することができる。なお、本発明の実施形態に係る画像処理装置１００におけるクロストーク低減アプローチに係る処理が、図１に示す例に限られないことは、言うまでもない。
【００４０】
（画像処理装置１００）
次に、上述した本発明の実施形態に係るクロストーク低減アプローチを実現することが可能な、本発明の実施形態に係る画像処理装置１００の構成例について説明する。
【００４１】
図２は、本発明の実施形態に係る画像処理装置１００の構成の一例を示すブロック図である。ここで、図２は、画像処理装置１００が、入力された立体画像を構成する第１入力画像信号Ｒｉｎと第２入力画像信号Ｌｉｎとをそれぞれ処理し、第１入力画像信号Ｒｉｎに対応する第１出力画像信号Ｒｏｕｔと、第２入力画像信号Ｌｉｎに対応する第２出力画像信号Ｌｏｕｔとをそれぞれ出力する例を示している。なお、本発明の実施形態に係る画像処理装置１００が、例えば、第１入力画像信号Ｌｉｎと第２入力画像信号Ｒｉｎとをそれぞれ処理し、第１入力画像信号Ｌｉｎに対応する第１出力画像信号Ｌｏｕｔと、第２入力画像信号Ｒｉｎに対応する第２出力画像信号Ｒｏｕｔとをそれぞれ出力する構成であってもよいことは、言うまでもない。
【００４２】
ここで、画像処理装置１００に入力される入力画像信号としては、例えば、デジタル放送などで用いられるデジタル信号が挙げられるが、上記に限られない。例えば、画像処理装置１００に入力される入力画像信号は、アナログ放送などで用いられるアナログ信号であってもよい。入力画像信号がアナログ信号の場合、画像処理装置１００は、アナログ信号としての入力画像信号を処理する構成をとることができるが、上記に限られない。例えば、画像処理装置１００は、Ａ／Ｄコンバータ（Analog  to  Digital  converter）を図２に示す構成の前段に備えることによって、デジタル信号としての入力画像信号を処理することもできる。
【００４３】
また、画像処理装置１００に入力される入力画像信号は、例えば、放送局から送信され画像処理装置１００が受信したものとすることができるが、上記に限られない。例えば、画像処理装置１００に入力される入力画像信号は、ネットワークを介して外部装置から送信され画像処理装置１００が受信したものであってもよいし、または、画像処理装置１００が備える記憶部（図示せず）に保持された映像ファイルや画像ファイルを画像処理装置１００が読み出したものであってもよい。
【００４４】
ここで、ネットワークとしては、例えば、ＬＡＮ（Local  Area  Network）などの有線ネットワーク、基地局を介した無線ＷＡＮ（ＷＷＡＮ；Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。
【００４５】
図２を参照すると、画像処理装置１００は、第１入力画像信号Ｒｉｎを画素ごとに選択的に補正する第１画像処理部１０２と、第２入力画像信号Ｌｉｎを画素ごとに選択的に補正する第２画像処理部１０４とを備える。なお、以下に示す第１画像処理部１０２および第２画像処理部１０４における信号処理は、例えば、ハードウェア（例えば、信号処理回路）および／またはソフトウェア（信号処理ソフトウェア）で実現される。
【００４６】
また、画像処理装置１００は、例えば、画像処理装置１００全体を制御する制御部（図示せず）や、ＲＯＭ（Read  Only  Memory。図示せず）、ＲＡＭ（Random  Access  Memory。図示せず）、放送局などから送信される入力画像信号を受信する受信部（図示せず）、映像ファイルや画像ファイルを記憶可能な記憶部（図示せず）、ユーザが操作可能な操作部（図示せず）、外部装置（図示せず）と通信を行うための通信部（図示せず）などを備えてもよい。画像処理装置１００は、例えば、データの伝送路としてのバス（bus）により上記各構成要素間を接続する。
【００４７】
ここで、制御部（図示せず）は、例えば、ＭＰＵ（Micro  Processing  Unit）や制御機能を実現するための複数の回路が集積された集積回路などで構成される。また、制御部（図示せず）は、第１画像処理部１０２および／または第２画像処理部１０４の役目を果たすこともできる。ＲＯＭ（図示せず）は、制御部（図示せず）が使用するプログラムや演算パラメータなどの制御用データを記憶する。ＲＡＭ（図示せず）は、制御部（図示せず）により実行されるプログラムなどを一次記憶する。
【００４８】
また、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）、光磁気ディスク（Magneto  Optical  Disk）などが挙げられるが、上記に限られない。また、操作部（図示せず）としては、例えば、キーボード（keyboard）やマウス（mouse）などの操作入力デバイスや、ボタン、方向キー、あるいは、これらの組み合わせなどが挙げられるが、上記に限られない。
【００４９】
また、画像処理装置１００と外部装置（図示せず）とは、例えば、ＵＳＢ（Universal  Serial  Bus）端子やＩＥＥＥ１３９４規格の端子などを介して物理的に接続されてもよいし、また、ＷＵＳＢ（Wireless  Universal  Serial  Bus）やＩＥＥＥ８０２．１１などを利用して無線で接続することもできる。さらに、画像処理装置１００と外部装置（図示せず）とは、例えば、ネットワークを介して接続することもできる。よって、通信部（図示せず）は、外部装置（図示せず）との接続形態に応じたインタフェースを有する。
【００５０】
第１画像処理部１０２は、第１入力画像信号Ｒｉｎおよび第２入力画像信号Ｌｉｎに基づいて、第１入力画像信号Ｒｉｎを画素ごとに選択的に補正する。
【００５１】
［第１画像処理部１０２の構成例］
第１画像処理部１０２は、第１差分信号導出部１１０と、第１判定部１１２と、第１重み付け部１１４と、第１補正信号出力部１１６と、第１信号補正部１１８とを有する。
【００５２】
第１差分信号導出部１１０は、第２入力画像信号Ｌｉｎから第１入力画像信号Ｒｉｎを減算し、演算結果を第１差分信号ＤｉＬＲとして出力する。ここで、第１差分信号導出部１１０は、例えば加算器や減算器などで構成されるが、上記に限られない。
【００５３】
第１判定部１１２は、第１差分信号導出部１１０から出力される第１差分信号ＤｉＬＲに基づいて、画素ごとに第１差分信号ＤｉＬＲが負であるか否かを判定する。そして、第１判定部１１２は、判定結果に応じた信号ＤｏＬＲを出力する。
【００５４】
ここで、第１判定部１１２は、例えばコンパレータなどで構成されるが、上記に限られない。また、第１判定部１１２から出力される信号ＤｏＬＲとしては、例えば、判定結果に応じたハイレベルとローレベルの信号が挙げられる。第１判定部１１２は、例えば、第１差分信号ＤｉＬＲが負の場合にローレベルの信号を出力し、第１差分信号ＤｉＬＲが負でない場合にハイレベルの信号を出力するが、上記に限られない。
【００５５】
第１重み付け部１１４は、第１差分信号導出部１１０から出力される第１差分信号ＤｉＬＲに第１補正係数αを乗算する。第１重み付け部１１４は、例えば乗算器などで構成されるが、上記に限られない。
【００５６】
ここで、第１補正係数αは、例えば、測定（例えば、単眼での光学測定、単眼でのパターン評価、両眼でのパターン評価など）に基づく、画像処理装置１００の構成に応じた所定の値とすることができる。上記の場合には、第１重み付け部１１４は、例えば、第１重み付け部１１４が備えるＲＯＭなど記録媒体や、記憶部（図示せず）などに記憶された補正係数情報（データ）を適宜読み出し、処理を行う。
【００５７】
なお、本発明の実施形態に係る第１重み付け部１１４は、所定の値の第１補正係数αを用いて処理を行う構成に限られない。例えば、第１重み付け部１１４は、差分信号の信号レベルと補正係数とが対応付けられたルックアップテーブルと、第１差分信号ＤｉＬＲとに基づいて、第１差分信号ＤｉＬＲに応じた第１補正係数αを用いて処理を行うこともできる。ここで、上記ルックアップテーブルは、例えば、第１重み付け部１１４が備えるＲＯＭなど記録媒体や、記憶部（図示せず）などに記憶されるが、上記に限られない。また、上記ルックアップテーブルに記録される情報は、例えば、測定（例えば、単眼での光学測定、単眼でのパターン評価、両眼でのパターン評価など）に基づいて決定される。例えば、上記ルックアップテーブルには、差分信号が大きいほど値が大きな補正係数αが対応付けられる傾向を有する情報が記録されるが、上記に限られない。
【００５８】
第１補正信号出力部１１６は、第１判定部１１２から画素ごとに出力される判定結果を示す信号ＤｏＬＲに基づいて、第１重み付け部１１４において補正係数が乗算された第１差分信号を第１補正信号として画素ごとに選択的に出力する。第１補正信号出力部１１６は、例えば、信号ＤｏＬＲの信号レベルに基づいてスイッチングするスイッチング回路などで構成されるが、上記に限られない。例えば、第１補正信号出力部１１６は、信号ＤｏＬＲに基づいて補正係数が乗算された第１差分信号を選択的に第１補正信号をとして出力可能な任意の構成をとることができる。
【００５９】
第１信号補正部１１８は、第１入力画像信号Ｒｉｎと、第１補正信号出力部１１６から画素ごとに選択的に出力される第１補正信号とに基づいて、第１入力画像信号Ｒｉｎを画素ごとに補正する。第１信号補正部１１８は、例えば、第１入力画像信号Ｒｉｎから第１補正信号を画素ごとに減算することによって補正を行う。ここで、第１信号補正部１１８は、例えば加算器や減算器などで構成されるが、上記に限られない。
【００６０】
そして、第１信号補正部１１８は、選択的に補正された第１入力画像信号Ｒｉｎを、第１出力画像信号Ｒｏｕｔとして出力する。
【００６１】
第１画像処理部１０２は、例えば上記のような構成によって、数式３に示す第１出力画像信号Ｒｏｕｔを出力することができる。よって、第１画像処理部１０２は、例えば上記のような構成によって、本発明の実施形態に係るクロストーク低減アプローチを実現することができる。なお、本発明の実施形態に係るクロストーク低減アプローチを実現するための第１画像処理部の構成（数式３を満たす構成）が、図２に示す構成に限られないことは、言うまでもない。
【００６２】
第２画像処理部１０４は、第１入力画像信号Ｒｉｎおよび第２入力画像信号Ｌｉｎに基づいて、第２入力画像信号Ｌｉｎを画素ごとに選択的に補正する。
【００６３】
［第２画像処理部１０４の構成例］
第２画像処理部１０４は、第２差分信号導出部１２０と、第２判定部１２２と、第２重み付け部１２４と、第２補正信号出力部１２６と、第２信号補正部１２８とを有する。ここで、第２画像処理部１０４は、第１画像処理部１０２と同様の構成を有し、第２画像処理部１０４を構成する各部は、それぞれ第１画像処理部１０２の対応する各部と同様の機能、構成を有することができる。
【００６４】
より具体的に説明すると、第２差分信号導出部１２０は、第１入力画像信号Ｒｉｎから第２入力画像信号Ｌｉｎを減算し、演算結果を第２差分信号ＤｉＲＬとして出力する。
【００６５】
第２判定部１２２は、第２差分信号導出部１２０から出力される第２差分信号ＤｉＲＬに基づいて、画素ごとに第２差分信号ＤｉＲＬが負であるか否かを判定する。そして、第２判定部１２２は、判定結果に応じた信号ＤｏＲＬを出力する。
【００６６】
第２重み付け部１２４は、第２差分信号導出部１２０から出力される第２差分信号ＤｉＲＬに第２補正係数βを乗算する。
【００６７】
ここで、第２補正係数βは、第１補正係数αと同様に、例えば、測定に基づく画像処理装置１００の構成に応じた所定の値とすることができる。上記の場合には、第２重み付け部１２４は、例えば、第２重み付け部１２４が備えるＲＯＭなど記録媒体や、記憶部（図示せず）などに記憶された補正係数情報（データ）を適宜読み出し、処理を行う。
【００６８】
また、第２重み付け部１２４は、第１重み付け部１１４と同様に、所定の値の第２補正係数β、または第２差分信号に応じた第２補正係数βを用いて処理を行うことができる。また、第１重み付け部１１４が処理に用いる第１補正係数αと第２重み付け部１２４が処理に用いる第２補正係数βとは、同一の値（所定の値の場合）、または同一のルックアップテーブルに基づく値（差分信号に応じた値の場合）とすることができるが、上記に限られない。
【００６９】
第２補正信号出力部１２６は、第２判定部１２２から画素ごとに出力される判定結果を示す信号ＤｏＲＬに基づいて、第２重み付け部１２４において補正係数が乗算された第２差分信号を第２補正信号として画素ごとに選択的に出力する。
【００７０】
第２信号補正部１２８は、第２入力画像信号Ｌｉｎと、第２補正信号出力部１２６から画素ごとに選択的に出力される第２補正信号とに基づいて、第２入力画像信号Ｌｉｎを画素ごとに補正する。第２信号補正部１２８は、例えば、第２入力画像信号Ｌｉｎから第２補正信号を画素ごとに減算することによって補正を行う。そして、第２信号補正部１２８は、選択的に補正された第２入力画像信号Ｌｉｎを、第２出力画像信号Ｌｏｕｔとして出力する。
【００７１】
第２画像処理部１０４は、例えば上記のような構成によって、数式４に示す第２出力画像信号Ｌｏｕｔを出力することができる。よって、第２画像処理部１０４は、例えば上記のような構成によって、本発明の実施形態に係るクロストーク低減アプローチを実現することができる。なお、本発明の実施形態に係るクロストーク低減アプローチを実現するための第２画像処理部の構成（数式４を満たす構成）が、図２に示す構成に限られないことは、言うまでもない。
【００７２】
画像処理装置１００は、例えば図２に示す構成によって、立体画像を構成する第１入力画像信号Ｒｉｎおよび第２入力画像信号Ｌｉｎに基づいて、数式３に示す第１出力画像信号Ｒｏｕｔおよび数式４に示す第２出力画像信号Ｌｏｕｔを出力することができる。したがって、画像処理装置１００は、クロストークを低減し高画質化を図ることができる。
【００７３】
以上のように、本発明の実施形態に係る画像処理装置１００は、数式３に係る補正を実現する第１画像処理部１０２と、数式４に係る補正を実現する第２画像処理部１０４とを備える。ここで、画像処理装置１００は、立体画像を構成する処理対象の一方の入力画像信号（第１入力画像信号Ｒｉｎまたは第２入力画像信号Ｌｉｎ）と、漏れこんでくる他方の入力画像信号（例えば、第１入力画像信号Ｒｉｎに対する第２入力画像信号Ｌｉｎ（数式３の場合）。または、第２入力画像信号Ｌｉｎに対する第１入力画像信号Ｒｉｎ（数式４の場合）。）との差分に基づいて、処理対象の一方の入力画像信号を選択的に補正する。よって、画像処理装置１００は、入力された第１入力画像信号Ｒｉｎ、第２入力画像信号Ｌｉｎそれぞれ対して数式３、数式４に示す補正を行うことによって、入力された第１入力画像信号Ｒｉｎおよび第２入力画像信号Ｌｉｎに応じたフレキシブルな補正を実現することができる。また、画像処理装置１００は、ユーザが実際に目にする画像（動画像／静止画像）を考慮したほぼ同一内容の第１入力画像信号Ｒｉｎ、第２入力画像信号Ｌｉｎ同士の輝度差分量を基準として入力画像信号を補正するので、従来の画像処理装置のように全輝度および０（ゼロ）輝度の差分量を基準として入力画像信号を補正する場合よりも、より最適なクロストーク補償を実現することができる。したがって、画像処理装置１００は、クロストークを低減することができ、高画質化を図ることができる。
【００７４】
また、上記では、本発明の実施形態として画像処理装置１００を挙げて説明したが、本発明の実施形態は、かかる形態に限られない。例えば、本発明の実施形態は、有機ＥＬディスプレイ、ＬＣＤ（Liquid  Crystal  Display。液晶ディスプレイ）、ＰＤＰ（Plasma  Display  Panel。プラズマディスプレイ）などの表示装置や、ＰＣ（Personal  Computer）、サーバ（Server）などのコンピュータ、携帯電話やＰＨＳ（Personal  Handyphone  System）などの携帯型通信装置など、様々な機器に適用することができる。また、画像処理装置１００は、例えば、図２の各部が集積されたＩＣ（Integrated  Circuit）チップとして実現することもできる。なお、画像処理装置１００の表示装置への適用については、後述する。
【００７５】
（画像処理装置に係るプログラム）
コンピュータを、本発明の実施形態に係る画像処理装置として機能させるためのプログラムによって、クロストークを低減し高画質化を図ることができる。
【００７６】
（本発明の実施形態に係る表示装置）
次に、本発明の実施形態に係る画像処理装置が適用された表示装置（以下、「表示装置２００」という。）について説明する。
【００７７】
図３は、本発明の実施形態に係る表示装置２００の構成の一例を示すブロック図である。なお、図３に示す表示装置２００は、本発明の実施形態に係る表示装置の一実施形態であり、本発明の実施形態に係る表示装置の構成が図３に示す構成に限定されるものではないことは、言うまでもない。
【００７８】
図３を参照すると、表示装置２００は、画像処理部２０２と、画像表示部２０４とを備える。
【００７９】
また、表示装置２００は、例えば、表示装置２００全体を制御することが可能な表示装置制御部（図示せず）や、ＲＯＭ（図示せず）、ＲＡＭ（図示せず）、表示装置記憶部（図示せず）、ユーザが操作可能な表示装置操作部（図示せず）、放送局などから送信される入力画像信号を受信する受信部（図示せず）、外部装置（図示せず）と通信を行うための通信部（図示せず）などを備えてもよい。表示装置２００は、例えば、データの伝送路としてのバスにより上記各構成要素間を接続する。
【００８０】
ここで、表示装置制御部（図示せず）は、例えば、ＭＰＵや制御機能を実現するための複数の回路が集積された集積回路などで構成される。また、表示装置制御部（図示せず）は、画像処理部２０２としての役目を果たすこともできる。ＲＯＭ（図示せず）は、表示装置制御部（図示せず）が使用するプログラムや演算パラメータなどの制御用データを記憶する。ＲＡＭ（図示せず）は、表示装置制御部（図示せず）により実行されるプログラムなどを一次記憶する。
【００８１】
また、表示装置記憶部（図示せず）は、例えば、上記補正係数情報や上記ルックアップテーブルなど、立体画像を構成する入力画像信号をそれぞれ補正するためのデータや、アプリケーションなど様々なデータを記憶する。表示装置記憶部（図示せず）としては、例えば、ハードディスクなどの磁気記録媒体や、フラッシュメモリなどの不揮発性メモリが挙げられるが、上記に限られない。また、表示装置操作部（図示せず）としては、例えば、キーボードやマウスなどの操作入力デバイスや、ボタン、方向キー、あるいは、これらの組み合わせなどが挙げられるが、上記に限られない。
【００８２】
また、表示装置２００と外部装置（図示せず）とは、例えば、ＵＳＢ端子などを介して物理的に接続されてもよいし、また、ＷＵＳＢなどを利用して無線で接続することもできる。さらに、表示装置２００と外部装置（図示せず）とは、例えば、ネットワークを介して接続することもできる。したがって、表示装置２００が備える通信部（図示せず）は、外部装置（図示せず）との接続形態に応じたインタフェースを有する。
【００８３】
画像処理部２０２は、例えば、図２に示す画像処理装置１００と同様の構成を有することができる。したがって、画像処理部２０２は、入力された立体画像を構成する第１入力画像信号Ｒｉｎおよび第２入力画像信号Ｌｉｎに基づいて、第１入力画像信号Ｒｉｎと第２入力画像信号Ｌｉｎとのそれぞれを、画素ごとに選択的に補正することができる。
【００８４】
画像表示部２０４は、画像処理部２０２から出力される第１出力画像信号Ｒｏｕｔと第２出力画像信号Ｌｏｕｔとに基づいて、第１出力画像信号Ｒｏｕｔが示す画像と第２出力画像信号Ｌｏｕｔが示す画像とをそれぞれ表示画面に表示する
【００８５】
[画像表示部２０４の構成例]
画像表示部２０４は、表示部２０６と、行駆動部２０８と、列駆動部２１０と、電源供給部２１２と、表示制御部２１４とを備える。
【００８６】
表示部２０６は、マトリクス状（行列状）に配置された複数の画素を備える。例えば、ＳＤ（Standard  Definition）解像度の映像を表示する表示部は、少なくとも６４０×４８０＝３０７２００（データ線×走査線）の画素を有し、カラー表示のために当該画素が赤（Red）、緑（Green）、青（Blue）のサブピクセル（sub  pixel）からなる場合には、６４０×４８０×３＝９２１６００（データ線×走査線×サブピクセルの数）のサブピクセルを有する。同様に、例えば、ＨＤ（High  Definition）解像度の映像を表示する表示部は、１９２０×１０８０の画素を有し、カラー表示の場合には、１９２０×１０８０×３のサブピクセルを有する。
【００８７】
また、表示部２０６は、例えば、画素ごとに印加する電圧量／電流量を制御するための画素回路（図示せず）を備えていてもよい。画素回路は、例えば、印加される走査信号および電圧信号により電流量を制御するためのスイッチ素子およびドライブ素子と、電圧信号を保持するためのキャパシタで構成される。上記スイッチ素子および上記ドライブ素子は、例えば、薄膜トランジスタ（Thin  Film  Transistor）で構成される。
【００８８】
行駆動部２０８、および列駆動部２１０は、例えば、表示部２０６が有する複数の画素に電圧信号を印加して各画素を発光させる。ここで、行駆動部２０８、および列駆動部２１０は、一方が画素のＯＮ／ＯＦＦを決定する電圧信号（走査信号）を印加し、他方が表示させる画像に応じた電圧信号（画像信号）を印加する役割を果たすことができる。
【００８９】
また、行駆動部２０８、および列駆動部２１０の駆動方式としては、例えば、上記行列状に配置された画素ごとに発光させる点順次駆動走査方式、上記行列状に配置された画素を一列ごとに発光させる線順次駆動走査方式などが挙げられる。なお、図３では、表示装置２００が、行駆動部２０８と列駆動部２１０との２つの駆動部を有する画像表示部２０４を備える構成を示しているが、上記に限られない。例えば、本発明の実施形態に係る表示装置が備える映像表示部は、１つの駆動部を有する構成であってもよい。
【００９０】
電源供給部２１２は、行駆動部２０８および列駆動部２１０に電源を供給し、行駆動部２０８および列駆動部２１０には電圧が印加される。また、電源供給部２１２が、行駆動部２０８および列駆動部２１０に印加する電圧の大きさは、例えば画像処理部２０２から出力される第１出力画像信号Ｒｏｕｔ、第２出力画像信号Ｌｏｕｔに応じて可変する。
【００９１】
表示制御部２１４は、例えば、ＭＰＵなどで構成され、画像処理部２０２から出力される第１出力画像信号Ｒｏｕｔと第２出力画像信号Ｌｏｕｔとに基づいて、行駆動部２０８または列駆動部２１０の一方に画素のＯＮ／ＯＦＦを決定する電圧を画素に印加するための制御信号を入力し、また、他方に第１出力画像信号Ｒｏｕｔおよび第２出力画像信号Ｌｏｕｔを入力する。また、表示制御部２１４は、画像処理部２０２から出力される第１出力画像信号Ｒｏｕｔおよび第２出力画像信号Ｌｏｕｔに基づいて、電源供給部２１２による行駆動部２０８および列駆動部２１０への電源の供給を制御することもできる。
【００９２】
画像表示部２０４は、例えば図３に示す構成によって、画像処理部２０２から出力される第１出力画像信号Ｒｏｕｔおよび第２出力画像信号Ｌｏｕｔに基づいて、第１出力画像信号Ｒｏｕｔに応じた画像および第２出力画像信号Ｌｏｕｔに応じた画像を表示画面に表示させることができる。
【００９３】
表示装置２００は、例えば図３に示す構成を有することにより、入力される立体画像を構成する第１入力画像信号Ｒｉｎおよび第２入力画像信号Ｌｉｎを画素ごとに選択的に補正し、補正された第１入力画像信号Ｒｉｎに応じた画像および第２入力画像信号Ｌｉｎに応じた画像を表示画面に表示することができる。ここで、表示装置２００が備える画像処理部２０２は、図２に示す画像処理装置１００と同様の構成を有する。よって、表示装置２００は、画像処理部２０２を備えることによって、クロストークが低減された画像を表示画面に表示することができる。
【００９４】
なお、本発明の実施形態に係る表示装置の構成は、図３に示す構成に限られない。例えば、本発明の実施形態に係る表示装置が、偏光メガネや液晶シャッターメガネなど外部装置を用いてユーザに立体画像を視認させる構成ではない場合には、本発明の実施形態に係る表示装置は、例えば、視差障壁に係る機構を画像表示部にさらに備えることができる。
【００９５】
以上のように、本発明の実施形態に係る表示装置２００は、上述した画像処理装置１００と同様の機能、構成を有する画像処理部２０２を備える。したがって、表示装置２００は、入力された立体画像を構成する第１入力画像信号Ｒｉｎおよび第２入力画像信号Ｌｉｎそれぞれ対して数式３、数式４に示す補正を行うことによって、入力された第１入力画像信号Ｒｉｎおよび第２入力画像信号Ｌｉｎに応じたフレキシブルな補正を実現することができる。また、表示装置２００は、画像処理装置１００と同様に、ユーザが実際に目にする画像（動画像／静止画像）を考慮したほぼ同一内容の第１入力画像信号Ｒｉｎ、第２入力画像信号Ｌｉｎ同士の輝度差分量を基準として入力画像信号を補正するので、従来の画像処理装置よりもより最適なクロストーク補償を実現することができる。また、表示装置２００は、画像処理部２０２において補正された第１入力画像信号Ｒｉｎに応じた画像および第２入力画像信号Ｌｉｎに応じた画像を表示画面に表示する。したがって、表示装置２００は、クロストークが低減された画像を表示画面に表示することができるので、より高画質化を図ることができる。
【００９６】
また、上記では本発明の実施形態として表示装置２００を挙げて説明したが、本発明の実施形態は、かかる形態に限られない。例えば、本発明の実施形態は、有機ＥＬディスプレイ、ＬＣＤ、ＰＤＰなどの各種表示装置や、デジタル放送／アナログ放送を受信可能なテレビ受像機など、様々な機器に適用することができる。
【００９７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９８】
例えば、上記では、コンピュータを、本発明の実施形態に係る画像処理装置として機能させるためのプログラム（コンピュータプログラム）が提供されることを示したが、本発明の実施形態は、さらに、上記プログラムを記憶させた記憶媒体も併せて提供することができる。
【００９９】
上述した構成は、本発明の実施形態の一例を示すものであり、当然に、本発明の技術的範囲に属するものである。
【符号の説明】
【０１００】
１００    画像処理装置
１０２    第１画像処理部
１０４    第２画像処理部
１１０    第１差分信号導出部
１１２    第１判定部
１１４    第１重み付け部
１１６    第１補正信号出力部
１１８    第１信号補正部
１２０    第２差分信号導出部
１２２    第２判定部
１２４    第２重み付け部
１２６    第２補正信号出力部
１２８    第２信号補正部
２００    表示装置
２０２    画像処理部
２０４    画像表示部
【図１】
2010258557.tif 000005
【図２】
2010258557.tif 000006
【図３】
2010258557.tif 000007